(57)【特許請求の範囲】
【請求項１】
新設ドア枠に新設蝶番を介して取付可能な新設ドアを備え、該新設ドアはその外側面に前記新設蝶番取付用のねじ具を螺合可能な新設蝶番取付用螺子孔を設けたものであり、該新設ドアの外側面に長尺な連結用縁材を沿わせ、該連結用縁材に穿設した新設ドア取付用螺子挿通孔に新設ドア取付用ねじを挿通し、該新設ドア取付用ねじを前記新設ドアの新設蝶番取付用螺子孔に螺合することで連結用縁材を新設ドアの外側面に取り付け、既設ドア枠の内側面に取り付けてある既設蝶番の蝶番片に既設蝶番取付用ねじを挿通し、該既設蝶番取付用ねじを前記連結用縁材の外側面における新設ドア取付用螺子挿通孔とは異なる位置に設けた既設蝶番取付用螺子孔に螺合することで、連結用縁材を既設蝶番に取り付けることを特徴とする新設ドアの取付構造。
【請求項２】
上記新設ドアはドアフレームと該ドアフレームの両面を覆う表面材を備え、前記ドアフレームの左右の縦フレーム材のうち連結用縁材側の縦フレーム材の外側面部を構成する側片部の内面に補強板を設け、前記新設蝶番取付用螺子孔として、新設ドアの外側面から縦フレーム材を介して補強板に至るねじ孔を設けることを特徴とする請求項１に記載の新設ドアの取付構造。
【発明の詳細な説明】
【技術分野】
【０００１】
本発明は新設ドアの取付構造に関する。
【背景技術】
【０００２】
建物の玄関扉等を構成するドアは建物躯体に取り付けたドア枠に蝶番を介して回動自在に取り付けられるが、既設のドア（以下、既設ドアと記載する）が傷付いたり、破損する等した場合には既設ドアを新しいドア（以下、新設ドアと記載する）に交換する場合がある。
【０００３】
ここで、新設ドアの外側面には新設の蝶番（以下新設蝶番と記載する）を取り付けるためのねじを螺合可能な新設蝶番取付用螺子孔を設けてあるため、新設ドアが既設ドアと同種である場合には、既設のドア枠（以下、既設ドア枠と記載する）に取り付けた既設の蝶番（以下既設蝶番と記載する）に既設蝶番取付用ねじを挿通し、該既設蝶番取付用ねじを新設ドアの新設蝶番取付用螺子孔に螺合することで、既設ドア枠に取り付けた既設蝶番に新設ドアを取り付けることができる。
【０００４】
しかし、新設ドアが既設ドアと種類が異なる場合には、新設ドアの外側面に設けた新設蝶番取付用螺子孔が既設蝶番に対応する位置にない場合があり、この場合は新設ドアを既設蝶番に取り付けることができない。
【０００５】
また、製造した新設ドアの外側面に新設蝶番取付用螺子孔とは別に既設蝶番取付用螺子孔を設け、該既設蝶番取付用螺子孔に既設蝶番に挿通した既設蝶番取付用ねじを螺合し、これにより新設ドアを既設蝶番に取り付けることが考えられるが、重く大きい新設ドアの外側面に既設蝶番取付用螺子孔を設ける作業は手間とコストがかかる。また、新設ドアに予め新設蝶番取付用螺子孔と既設蝶番取付用螺子孔を設けることが考えられるが、この場合は新設ドアに多数種ある既設蝶番の取り付け位置に対応して多数の既設蝶番取付用螺子孔を設ける必要があり、手間とコストがかかる。
【０００６】
また、例えば特許文献１には既設ドア枠に新設ドア枠を取り付け、該新設ドア枠に新設蝶番を介して新設ドアを取り付けたものがあるが、このものは別途新設ドア枠及び新設蝶番が必要となり、大幅にコストがかかる。
【特許文献１】特開２００４−２７５９０号公報
【発明の開示】
【発明が解決しようとする課題】
【０００７】
本発明は上記従来の問題点に鑑みてなされたものであって、新設ドアの外側面に設けた新設蝶番取付用螺子孔が既設蝶番に対応する位置にない場合にも、新設ドアを既設蝶番に取り付けることができ、尚且つ施工の手間とコストを大幅に抑えることができる新設ドアの取付構造を提供することを課題とする。
【課題を解決するための手段】
【０００８】
上記課題を解決するために本発明に係る新設ドアの取付構造は、新設ドア枠に新設蝶番を介して取付可能な新設ドア１を備え、該新設ドア１はその外側面に前記新設蝶番取付用のねじ具を螺合可能な新設蝶番取付用螺子孔２を設けたものであり、該新設ドア１の外側面に長尺な連結用縁材３を沿わせ、該連結用縁材３に穿設した新設ドア取付用螺子挿通孔４に新設ドア取付用ねじ５を挿通し、該新設ドア取付用ねじ５を前記新設ドア１の新設蝶番取付用螺子孔２に螺合することで連結用縁材３を新設ドア１の外側面に取り付け、既設ドア枠７の内側面に取り付けてある既設蝶番８の蝶番片９ｂに既設蝶番取付用ねじ１０を挿通し、該既設蝶番取付用ねじ１０を前記連結用縁材３の外側面における新設ドア取付用螺子挿通孔４とは異なる位置に設けた既設蝶番取付用螺子孔６に螺合することで、連結用縁材３を既設蝶番８に取り付けることを特徴とする。このような構成により、新設ドア１の外側面に設けた新設蝶番取付用螺子孔２が既設蝶番８に対応する位置にない場合に、連結用縁材３を用いて新設ドア１を既設ドア枠７に取り付けることができる。
【０００９】
また、請求項２は請求項１において、上記新設ドア１はドアフレーム１２と該ドアフレーム１２の両面を覆う表面材１７を備え、前記ドアフレーム１２の左右の縦フレーム材１４、１４のうち連結用縁材３側の縦フレーム材１４の外側面部を構成する側片部３１の内面に補強板１８を設け、前記新設蝶番取付用螺子孔２として、新設ドア１の外側面から縦フレーム材１４を介して補強板１８に至るねじ孔を設けることを特徴とする。このように補強板１８を設けることで、新設ドア１の新設蝶番及び既設蝶番８の取付部分を補強できる。
【発明の効果】
【００１０】
請求項１に係る発明では、新設ドアの外側面に設けた新設蝶番取付用螺子孔が既設蝶番に対応する位置にない場合に、連結用縁材を用いて新設ドアを既設ドア枠に取り付けることができ、既設ドア枠及び既設蝶番を再利用できてコストを大幅に削減できる。また、連結用縁材の既設蝶番に対応する箇所に既設蝶番取付用螺子孔を設けるだけで、新設ドアの新設蝶番取付用螺子孔が既設蝶番に対応する位置にない場合に対応でき、既設蝶番取付用螺子孔を簡単に設けることができ、また、多数種ある既設蝶番の取り付け位置に対応できる。
【００１１】
また請求項２に係る発明では、請求項１に係る発明の効果に加えて、補強板により新設ドアの新設蝶番及び既設蝶番の取付部分を補強でき、新設ドアを新設ドア枠に取り付けた新設蝶番及び既設ドア枠に取り付けた既設蝶番に強固に取り付けることができる。
【発明を実施するための最良の形態】
【００１２】
以下、本発明を添付図面に示す実施形態に基づいて説明する。本実施例の新設ドアの取付構造は、新設ドア枠（図示せず）に新設蝶番（図示せず）を介して取り付け可能な新設ドア１を既設ドア枠７に取り付けるものであり、この新設ドア１の施工は、既設ドア枠７に取り付けた既設蝶番８から既設ドア（図示せず）を取り外した後に行われるものである。なお、本実施例の新設ドア１は住宅の玄関扉であるが、部屋の扉等のその他の建物の扉であっても良い。
【００１３】
図１及び図２に示すように既設ドア枠７は建物躯体１１に形成した開口部に取り付けてあり、既設ドア枠７の内側面には既設蝶番８を取り付けている。既設蝶番８は既設ドア枠７の一方の縦枠部７ａの上下方向に位置の異なる複数箇所に取り付けてあり、図示例では３箇所に既設蝶番８を取り付けている。各既設蝶番８は中心軸部１９を介して回動自在に連結した一対の蝶番片９ａ、９ｂを備えており、各蝶番片９ａ、９ｂには複数の皿ねじ用の孔２１、２２を穿設している。各既設蝶番８の固定側となる一方の蝶番片９ａの各孔２１には他方の蝶番片９ｂ側から皿ねじからなるねじ具２０を挿通し、これらねじ具２０を縦枠部７ａを挿通して建物躯体１１に螺合することにより、蝶番片９ａは既設ドア枠７の縦枠部７ａに取り付けてある。
【００１４】
一方、新設ドア１は左右の縦フレーム材１３、１４と上下の横フレーム材１５、１６を矩形状に枠組みしてなるドアフレーム１２と、ドアフレーム１２の屋内側及び屋外側の両面を覆う表面材１７を備えている。
【００１５】
各フレーム材１３〜１６は長尺なアルミニウム押出型材のような金属製型材からなる。図１に示すように各縦フレーム材１３、１４は矩形枠状のドアフレーム１２の内側に向けて開口する断面コ字状に形成してあり、その外側面部は屋外側に位置する前片部２９と屋内側に位置する後片部３０の外側端部同士を連結する側片部３１により構成してある。
【００１６】
表面材１７は屋外側の表面板２３と屋内側の表面板２４で構成してあり、各表面板２３、２４は鋼板からなる。各表面板２３、２４は両側縁を背方に折り曲げて水平断面コ字状に形成してあり、屋外側又は屋内側に位置する表面部２６の背面をドアフレーム１２の屋外側又は屋内側の面に沿わせると共に表面部２６の両側縁より背方に突出する両側面部２５の内面をドアフレーム１２の両外側面（各縦フレーム材１３、１４の外側面）に沿わせ、この状態でドアフレーム１２に固着してある。なお、ドアフレーム１２の両外側面は両表面板２３、２４の両側面部２５によって完全に覆われる。
【００１７】
また、新設ドア１の既設ドア枠７への取付側となる一方の外側面において、新設ドア枠の内側面に設けた各新設蝶番に対応する箇所（即ち既設ドア枠７に取り付けた各既設蝶番８に対応する箇所）には新設蝶番を取り付けるために用いられるねじ具（図示せず）を螺合可能な新設蝶番取付用螺子孔２を複数設けている。図示は省略するが、本例では各新設蝶番に対応する箇所に４つの新設蝶番取付用螺子孔２を設けている。
【００１８】
上記新設ドア１の左右の縦フレーム材１３、１４のうち既設ドア枠７への取付側となる一方の縦フレーム材１４の側片部３１の内面における各新設蝶番に対応する箇所には夫々補強板１８を取り付けている。各補強板１８はステンレス製で縦フレーム材１４の側片部３１よりも厚く、溶接やリベット止めにより縦フレーム材１４に固着してある。なお、本例では各新設蝶番に対応する箇所に別個の補強板１８を設けたが、例えば補強板１８を縦フレーム材１４の長手方向の略全長に亘って設ける等、補強板１８を複数の新設蝶番に亘るよう設けてあっても良い。
【００１９】
そして、既述の各新設蝶番取付用螺子孔２は、新設ドア１の外側面（詳しくは表面板２３、２４の両側面部２５）から縦フレーム材１４の側片部３１を貫通して補強板１８に至るように形成されたねじ孔で構成してある。
【００２０】
上記新設ドア１は既設ドア枠７に取り付けた既設蝶番８の可動側の蝶番片９ｂに取り付けられるが、ここで新設ドア１の既設蝶番８への取り付けは連結用縁材３が用いられる。
【００２１】
図２及び図３に示すように連結用縁材３はステンレス等からなる金属板を折曲して形成された長尺な部材であって、新設ドア１の既設ドア枠７への取付側となる外側面の長手方向の全長に亘って取り付けられる。連結用縁材３は水平断面コ字状に折曲形成してあり、新設ドア１の外側面（詳しくは表面板２３、２４の側面部２５の外面）に沿う固着板部２７と、固着板部２７の前後両縁から新設ドア１側に突出して新設ドア１の屋外側又は屋内側の面に沿う凸板部２８で構成してある。
【００２２】
図３に示すように連結用縁材３の固着板部２７における新設ドア１の各新設蝶番取付用螺子孔２に対応する箇所には皿ねじ用の孔からなる新設ドア取付用螺子挿通孔４を穿設してある。即ち、新設ドア取付用螺子挿通孔４は固着板部２７の上下に間隔を介した計３箇所の夫々に４つずつ設けてある。また、上記新設ドア取付用螺子挿通孔４とは別に、連結用縁材３の固着板部２７の外側面における各既設蝶番８の可動側の蝶番片９ｂに設けた各孔２２に対応する箇所には既設蝶番取付用螺子孔６を設けている。なお、各既設蝶番取付用螺子孔６は図１のように固着板部２７を貫通するように設けてあっても良いし、非貫通の螺子穴で構成してあっても良い。
【００２３】
上記連結用縁材３を用いて新設ドア１を既設ドア枠７に取り付けてある既設蝶番８に取り付けるには、新設ドア１に連結用縁材３を取り付け、この後、各既設蝶番８を連結用縁材３に取り付ける。
【００２４】
上記新設ドア１に連結用縁材３を取り付ける場合は、図１のように新設ドア１の取付側の外側端部に断面コ字状の連結用縁材３を被嵌し、連結用縁材３の固着板部２７を新設ドア１の外側面に当接すると共に、両凸板部２８を新設ドア１の屋外側又は屋内側の面に当接した状態で、連結用縁材３の各新設ドア取付用螺子挿通孔４に皿ねじからなる新設ドア取付用ねじ５を挿通し、各新設ドア取付用ねじ５を新設蝶番取付用螺子孔２に螺合する。
【００２５】
また、各既設蝶番８を連結用縁材３に取り付ける場合は、既設蝶番８の蝶番片９ｂに皿ねじからなる既設蝶番取付用ねじ１０を挿通し、該既設蝶番取付用ねじ１０を前記連結用縁材３の外側面における新設ドア取付用螺子挿通孔４とは異なる位置に設けた各既設蝶番取付用螺子孔６に螺合する。
【００２６】
既述にように、本例の新設ドアの取付構造にあっては、新設ドア１の外側面に設けた新設蝶番取付用螺子孔２が既設蝶番８に対応する位置にない場合に、新設ドア１を連結用縁材３を用いて既設ドア枠７に取り付けることができ、既設ドア枠７及び既設蝶番８を再利用できてコストを大幅に削減できる。また、連結用縁材３の既設蝶番８に対応する箇所に既設蝶番取付用螺子孔６を設けるだけで、既述のように新設ドア１の新設蝶番取付用螺子孔２が既設蝶番８に対応する位置にない場合に対応でき、既設蝶番取付用螺子孔６を簡単に設けることができ、また、多数種ある既設蝶番８の取り付け位置に対応できる。また、本例では補強板１８を設けることで、新設ドア１の新設蝶番及び既設蝶番８の取付部分を補強でき、新設ドア１を新設ドア枠に取り付けた新設蝶番及び既設ドア枠７に取り付けた既設蝶番８に強固に取り付けることができる。
【図面の簡単な説明】
【００２７】
【図１】本発明の実施の形態の一例を示し、図は図２のＡ−Ａ断面図である。
【図２】本発明の実施の形態の一例を模式的に示した正面図である。
【図３】同上の連結用縁材の側面図である。
【符号の説明】
【００２８】
１  新設ドア
２  新設蝶番取付用螺子孔
３  連結用縁材
４  新設ドア取付用螺子挿通孔
５  新設ドア取付用ねじ
７  既設ドア枠
８  既設蝶番
９ｂ  可動側蝶番片
１０  既設蝶番取付用ねじ
【図１】
0004811391.tif 000002
【図２】
0004811391.tif 000003
【図３】
0004811391.tif 000004